(57)【要約】【課題】ロータリ耕耘装置の耕耘軸への草類（長藁，雑草等）の巻き付きを、確実且つ効果的に防止する草藁巻付防止手段を設ける。【解決手段】ロータリ耕耘装置２の耕耘軸１５への草藁の巻き付きを防止するための切断刃３６ｂを藁巻付防止手段３６の先端部に設け、且つ藁巻付防止手段３６の基端部３６ａを、耕耘爪１４の回転軌跡の上方を覆うロータリカバー１９の上面側の横伝動筒を兼ねる左右の筒状アーム１０，１１に取り付け可能に構成すると共に、耕耘軸１５への草藁の巻き付き状況に応じて、当該草藁巻付防止手段３６の切断刃３６ｂを耕耘軸１５に対して所望の近接位置に位置決め固定できるように構成した。【選択図】図３
2005328779.tif 000002
【特許請求の範囲】
【請求項１】
複数の耕耘爪（１４）を螺設した耕耘軸（１５）と、耕耘爪（１４）の回転軌跡の上方を覆うロータリカバー（１９）を備えるロータリ耕耘装置（２）において、前記耕耘軸（１５）への草藁の巻き付きを防止する草藁巻付防止手段（３６）を、ロータリカバー（１９）の上面側から耕耘軸（１５）に対して位置調節可能に取り付けたことを特徴とするロータリ耕耘装置における草藁巻付防止手段。
【請求項２】
前記草藁巻付防止手段（３６）が草藁を切断する切断刃（３６ｂ）を備え、且つその基端部（３６ａ）をロータリ耕耘装置（２）の横伝動筒を兼ねる左右の筒状アーム（１０，１１）に取り付けたことを特徴とする請求項１記載のロータリ耕耘装置における草藁巻付防止手段。
【発明の詳細な説明】
【技術分野】
【０００１】
本発明は、トラクタ等の農作業用車両の後部にリンク装置を介して昇降可能に装着されるロータリ耕耘装置に係り、詳しくは複数の耕耘爪を螺設した耕耘軸の草藁巻付防止手段に関する。
【背景技術】
【０００２】
従来、トラクタ等の農作業用車両の後部には、三点リンク式の作業機装着装置が配設されており、この作業機装着装置の後部に、農用作業機としてのロータリ耕耘装置を昇降可能に装着できるようになっている。そして、複数の耕耘爪が螺設されているロータリ耕耘装置の耕耘軸は、当該ロータリ耕耘装置の片側に設けた伝動ケース内の駆動スプロケットと従動スプロケットに巻き掛けられた駆動チェンによって回転駆動されるようになっており、農作業用車両を走行させながら耕耘軸を回転駆動させることによって、耕耘爪による耕耘作業が行われる。
【０００３】
また、耕耘軸の回転駆動によって当該耕耘軸に草類（長藁，雑草等）が巻き付くことを防止するための草藁巻付防止手段として、耕耘軸の外周から所定間隔を存して耕耘軸と略平行な一本のロッドを、耕耘軸の左右最外端側の耕耘爪ホルダ間に張設支持したものが知られている。（例えば、特許文献１参照。）。
【０００４】
また、上述の如く耕耘軸の外周から所定間隔を存して耕耘軸と略平行な一本のロッドを張設したものでは、当該耕耘軸を高速回転させると、耕耘軸の回転バランスを崩してロータリ耕耘装置及び農作業用車両に大きな振動を与えるので、前記ロッドを二分すると共にそれぞれ１８０°の位相差を設けて耕耘軸と略平行に張設支持することによって、耕耘軸の高速回転時においても、耕耘軸の回転バランスを安定させることができるように構成したものが知られている。（例えば、特許文献２参照。）。
【特許文献１】特開平１０−１５０８０１号公報（第３頁、図１）
【特許文献２】特開平１０−１３６７０６号公報（第３頁、図１）
【発明の開示】
【発明が解決しようとする課題】
【０００５】
しかし、上述した従来の特許文献１及び特許文献２のものは、何れも耕耘軸の外周から所定間隔を存して耕耘軸と略平行に張設したロッドによって、耕耘軸に巻き付こうとする草類（長藁，雑草等）を捕捉しながら放擲しようとするものであるが、その期待効果が十分に得られず、当該ロッドと耕耘軸とに巻き付いた草類（長藁，雑草等）を定期的に鎌等を用いて切除しなければならず、しかも前記ロッドは、ロータリカバーによって常時上方を覆われている耕耘軸の近傍に張設してあり、メンテナンス時の十分な作業スペースを確保することができないので作業性に問題があった。
【課題を解決するための手段】
【０００６】
本発明は、上記課題を解決することを目的として創案したものであって、複数の耕耘爪を螺設した耕耘軸と、耕耘爪の回転軌跡の上方を覆うロータリカバーを備えるロータリ耕耘装置において、前記耕耘軸への草藁の巻き付きを防止する草藁巻付防止手段を、ロータリカバーの上面側から耕耘軸に対して位置調節可能に取り付けたことを第１の特徴としている。
【０００７】
また、前記草藁巻付防止手段が草藁を切断する切断刃を備え、且つその基端部をロータリ耕耘装置の横伝動筒を兼ねる左右の筒状アームに取り付けたことを第２の特徴としている。
【発明の効果】
【０００８】
請求項１の発明によれば、耕耘軸への草藁の巻き付きを防止する草藁巻付防止手段を、ロータリカバーの上面側から耕耘軸に対して位置調節可能に取り付けたことによって、当該耕耘軸への草類（長藁，雑草等）の巻き付き状況に応じて、草藁巻付防止手段の耕耘軸に対する所望の近接位置への位置調節を簡単に行うことができるようになると共に、耕耘軸への草類（長藁，雑草等）の巻き付きを確実且つ効果的に防止することができる。そして、草藁巻付防止手段をメンテナンスする際、ロータリカバーの上方から草藁巻付防止手段を容易に着脱することができるので作業性が大幅に向上する。
【０００９】
また、請求項２の発明によれば、前記草藁巻付防止手段が草藁を切断する切断刃を備えているので、この切断刃で耕耘軸へ巻き付こうとする草類（長藁，雑草等）を常時効果的に切断することができ、しかも草藁巻付防止手段の基端部をロータリ耕耘装置の横伝動筒を兼ねる左右の筒状アームに取り付けたことによって、当該草藁巻付防止手段を安定した姿勢で安全且つ強固に保持することができる。
【発明を実施するための最良の形態】
【００１０】
以下、本発明の実施形態を図面に基づいて説明する。図１は、農作業用車両であるトラクタ１の後方に装着したロータリ耕耘装置２によって耕耘作業を行っている状態を示す側面図であり、また図２は、ロータリ耕耘装置２の平断面図であって、当該ロータリ耕耘装置２は、３点リンク機構３及びオートヒッチ４を介して昇降可能に装着されている。
【００１１】
そして、ロータリ耕耘装置２の中央部にはギヤケース５が設けてあり、このギヤケース５の上部に一対のトップマスト６，６を固設すると共に、該トップマスト６，６の前側上部をオートヒッチ３に連結してある。また、トップマスト６，６の後側上部には、通常は尾輪や畦立器等を装着するツールバー７の上下姿勢を調節するためのネジ式調節装置８を軸支している。
【００１２】
また、ギヤケース５の両側には、ロータリ耕耘装置２の横伝動筒を兼ねる左側筒状アーム１０と、この左側筒状アーム１０と略同寸法の右側筒状アーム１１を配設すると共に、左側筒状アーム１０の外端（左端側）にはロータリ耕耘装置２の伝動ケースであるチェンケース１２、一方右側筒状アーム１１の外端（右端側）にはサイドプレート１３を固設してある。そして、複数本の耕耘爪１４を螺設した耕耘軸１５をチェンケース１２とサイドプレート１３の下部に配設したボールベアリング１６，１７，１８に軸支することによって、当該ロータリ耕耘装置２が一体的に組み立てられている。
【００１３】
また、耕耘爪１４の回転軌跡の上方を覆うロータリカバー１９は、側面視で円弧状に形成されると共に、その後寄り左右両側にサイドカバー２０，２０を設けている。そして、ロータリカバー１９の後部に支点Ｐを回動中心としてリヤカバー２１を上下回動可能に軸支すると共に、左右一対の吊りロッド２２，２２を介してリヤカバー２１を持ち上げ可能に構成することによって、リヤカバー２１と耕耘爪１４の回転軌跡との空間を所望の隙間に調節できるようになっている。
【００１４】
また、トラクタ１の後部ＰＴＯ軸２３と接続する入力軸２４から伝動される駆動力は、
ギヤケース５内のベベルギヤ２５，２６を介して筒状アーム１０に内装した駆動軸２７に伝動され、更にチェンケース１２の上部で駆動軸２７に軸着した駆動スプロケット２８と、チェンケース１２の下部で耕耘軸（従動軸）１５に軸着した従動スプロケット２９に巻き掛けた駆動チェン３０を介して、当該耕耘軸１５を回転駆動させるように構成したサイドドライブ方式の伝動機構を採用している。
【００１５】
そして、図２及び図３に示すように、上述したロータリ耕耘装置２は、耕耘軸１５の回転駆動による当該耕耘軸１５への草藁の巻き付きを防止するために、プレート状の草藁巻付防止手段３６，３６をロータリ耕耘装置２の横伝動筒を兼ねる左側筒状アーム１０と、この左側筒状アーム１０と略同寸法の右側筒状アーム１１に取り付けてある。
【００１６】
詳述すると、草藁巻付防止手段３６は、その基端部３６ａを、左右の筒状アーム１０，１１の幅方向略中間部の前側に固設したプレート４１，４１に螺設できるようになっている。また、草藁巻付防止手段３６の先端部には、耕耘軸１５へ巻き付こうとする草類（長藁，雑草等）を切断する切断刃３６ｂを形成してあり、この切断刃３６ｂの耕耘軸１５に対する取り付け高さを、耕耘軸１５へ巻き付こうとする草類（長藁，雑草等）の草丈に応じて図２に示すＡ矢印方向に調節できるように、当該草藁巻付防止手段３６の基端部３６ａに複数の取り付け高さ調節孔Ｈを設けている。
【００１７】
更に、草藁巻付防止手段３６の基端部３６ａに設けた複数の取り付け高さ調節孔Ｈから所望の調節孔Ｈを選択し、この調節孔Ｈを、左右の筒状アーム１０，１１に固設したプレート４１，４１に設けた孔４１ａ，４１ａに同軸状にセットすると共に、前記調節孔Ｈと孔４１ａ，４１ａに挿通するピン４２を介して草藁巻付防止手段３６を取り付け、それにより、当該草藁巻付防止手段３６をピン４２（Ｐ１）を回動支点（回動中心）として、図２に示すＢ矢印の如く回動させることができるようになっている。
【００１８】
そして、前記プレート４１，４１には、孔４１ａ，４１ａ（回動中心Ｐ１）中心とする円弧状の長孔４１ｂ，４１ｂを、草藁巻付防止手段３６の基端部３６ａに設けた複数の取り付け高さ調節孔Ｈと同一ピッチの半径で設けてあり、この円弧状の長孔４１ｂ，４１ｂと、草藁巻付防止手段３６の回動中心である調節孔Ｈよりも１段下段の調節孔Ｈに位置決めボルト４３を挿通し、しかる後に耕耘軸１５への草類（長藁，雑草等）の種類や巻き付き状況に応じて、草藁巻付防止手段３６の切断刃３６ｂを耕耘軸１５に対する所望の近接位置まで回動させ、次いで前記位置決めボルト４３と固定ナット４４を介して当該草藁巻付防止手段３６を位置決め固定することができるようになっている。
【００１９】
尚、ロータリカバー１９には、プレート状の草藁巻付防止手段３６を挿通すると共に、この草藁巻付防止手段３６がピン４２（Ｐ１）を回動支点（回動中心）として回動することを許容する孔１９ａ，１９ａを設けている。
【００２０】
以上説明したように、ロータリ耕耘装置２の耕耘軸への草藁の巻き付きを防止する切断刃３６ｂを備えた草藁巻付防止手段１３を、ロータリカバー１９の上面側から耕耘軸１５に対して位置調節可能に取り付けたことによって、当該耕耘軸１５への草類（長藁，雑草等）の巻き付き状況に応じて、草藁巻付防止手段３６の切断刃３６ｂの耕耘軸１５に対する所望の近接位置への位置調節を簡単且つ緻密に行うことができるようになると共に、耕耘軸１５への草類（長藁，雑草等）の巻き付きを確実且つ効果的に防止することができる。そして、草藁巻付防止手段３６をメンテナンスする際、ロータリカバー１９の上方から草藁巻付防止手段３６を容易に着脱することができるので作業性が大幅に向上する。
【００２１】
また、前記草藁巻付防止手段３６が草藁を切断する切断刃３６ｂを備えているので、この切断刃３６ｂで耕耘軸１５へ巻き付こうとする草類（長藁，雑草等）を常時効果的に切断することができ、しかも草藁巻付防止手段３６の基端部３６ａをロータリ耕耘装置２の横伝動筒を兼ねる左右の筒状アーム１０，１１に取り付けたことによって、当該草藁巻付防止手段３６を安定した姿勢で安全且つ強固に保持することができる。
【図面の簡単な説明】
【００２２】
【図１】ロータリ耕耘装置による耕耘作業状態を示す側面図。
【図２】ロータリ耕耘装置の平断面図。
【図３】ロータリ耕耘装置の要部側面図。
【符号の説明】
【００２３】
２      ロータリ耕耘装置
１０    左の筒状アーム
１１    右の筒状アーム
１４    耕耘爪
１５    耕耘軸
１９    ロータリカバー
３６    草藁巻付防止手段
３６ｂ  切断刃
【図１】
2005328779.tif 000003
【図２】
2005328779.tif 000004
【図３】
2005328779.tif 000005